(57)【要約】【課題】サービスを受ける施設において写真撮影する場合に、そのサービスに関連するコンテンツも写真の中に収められるようにすること。【解決手段】本願にかかる配信装置は、取得部と、配信部とを有する。取得部は、所定の施設におけるサービスを利用者に提供するための認証が得られた場合に、当該所定の施設におけるサービスに関連するコンテンツを取得する。配信部は、取得部により取得されたコンテンツが端末装置のカメラ機能によって利用者の端末装置の表示画面に表示される映像に重ねて表示されるよう配信する。【選択図】図２
2018156682.tif 000002
【特許請求の範囲】
【請求項１】
所定の施設におけるサービスを利用者に提供するための認証が得られた場合に、当該所定の施設におけるサービスに関連するコンテンツを取得する取得部と、
前記取得部により取得されたコンテンツが前記利用者の端末装置のカメラ機能によって前記端末装置の表示画面に表示される映像に重ねて表示されるよう配信する配信部と
を有することを特徴とする配信装置。
【請求項２】
前記取得部は、前記認証として前記端末装置に表示される電子チケットである二次元バーコードを読み取ることによる認証が得られた場合に、前記コンテンツを取得する
ことを特徴とする請求項１に記載の配信装置。
【請求項３】
前記取得部は、前記認証が得られている状態において前記カメラ機能を起動する操作が検知された場合に、前記コンテンツを取得する
ことを特徴とする請求項１または２に記載の配信装置。
【請求項４】
前記取得部は、前記コンテンツとして、所定の期間中にのみ表示可能なコンテンツを取得する
ことを特徴とする請求項１〜３のいずれか１つに記載の配信装置。
【請求項５】
前記取得部は、前記所定の施設を含む所定エリア内に前記利用者が位置する場合に、前記コンテンツを取得する
ことを特徴とする請求項１〜４のいずれか１つに記載の配信装置。
【請求項６】
前記取得部は、前記コンテンツとして、前記所定の施設を含む所定エリア内において前記利用者が位置する位置情報に応じたコンテンツを取得する
ことを特徴とする請求項１〜５のいずれか１つに記載の配信装置。
【請求項７】
前記取得部は、前記コンテンツとして、前記認証が得られている状態において前記カメラ機能を起動する操作が検知された時刻情報に応じたコンテンツを取得する
ことを特徴とする請求項１〜６のいずれか１つに記載の配信装置。
【請求項８】
前記取得部は、前記認証の際に用いられた電子チケットの種別に応じたコンテンツを取得する
ことを特徴とする請求項１〜７のいずれか１つに記載の配信装置。
【請求項９】
前記取得部は、前記コンテンツとして、前記所定の施設におけるサービスのスポンサーに関連するコンテンツを取得する
ことを特徴とする請求項１〜８のいずれか１つに記載の配信装置。
【請求項１０】
前記取得部は、前記コンテンツとして、前記所定の施設におけるサービスに関連する人物、または、キャラクターを含むコンテンツを取得する
ことを特徴とする請求項１〜９のいずれか１つに記載の配信装置。
【請求項１１】
前記取得部は、前記コンテンツとして、前記利用者の属性情報に応じたコンテンツを取得する
ことを特徴とする請求項１〜１０のいずれか１つに記載の配信装置。
【請求項１２】
前記配信部は、前記取得部により取得されたコンテンツが前記利用者の操作に応じて制御可能な状態で、前記端末装置の表示画面に表示される映像に重ねて表示されるよう配信する
ことを特徴とする請求項１〜１１のいずれか１つに記載の配信装置。
【請求項１３】
前記配信部は、前記取得部により取得されたコンテンツのうち、前記利用者によって指定されたコンテンツが前記端末装置の表示画面に表示される映像に重ねて表示されるよう配信する
ことを特徴とする請求項１〜１２のいずれか１つに記載の配信装置。
【請求項１４】
前記取得部は、前記所定の施設として、所定のイベントが行われるイベント会場におけるサービスを利用者に提供するための認証が得られた場合に、当該所定のイベントに関連するコンテンツを取得する
ことを特徴とする請求項１〜１３のいずれか１つに記載の配信装置。
【請求項１５】
前記取得部は、前記コンテンツとして、前記端末装置によって前記カメラ機能によって撮影された撮像情報とともにソーシャルネットワーキングサービスを提供するサーバ装置に送信されるコンテンツを取得する
ことを特徴とする請求項１〜１４のいずれか１つに記載の配信装置。
【請求項１６】
配信装置が実行する情報処理方法であって、
所定の施設におけるサービスを利用者に提供するための認証が得られた場合に、当該所定の施設におけるサービスに関連するコンテンツを取得する取得工程と、
前記取得工程により取得されたコンテンツが前記利用者の端末装置のカメラ機能によって前記端末装置の表示画面に表示される映像に重ねて表示されるよう配信する配信工程と
を含んだことを特徴とする情報処理方法。
【請求項１７】
所定の施設におけるサービスを利用者に提供するための認証が得られた場合に、当該所定の施設におけるサービスに関連するコンテンツを取得する取得手順と、
前記取得手順により取得されたコンテンツが前記利用者の端末装置のカメラ機能によって前記端末装置の表示画面に表示される映像に重ねて表示されるよう配信する配信手順と
をコンピュータに実行させることを特徴とする情報処理プログラム。
【発明の詳細な説明】
【技術分野】
【０００１】
本発明の実施形態は、端末プログラムおよび表示制御方法に関する。
【背景技術】
【０００２】
近年、インターネットに代表されるネットワークの発展によって、端末装置を用いて様々なサービスを受けることができるようになってきている。
【０００３】
例えば、イベントやコンサートのチケットとして紙媒体のチケットを販売するのではなく、インターネット上でチケットの申し込みや支払いを受け付けることで、チケットを購入した購入者の端末装置に電子化されたチケット（電子チケット）を配信するといったサービスが広まってきている。
【０００４】
また、特許文献１には、飛行機等を利用するユーザに対して利用の記念になる記念プリントを渡すといったサービス提供に関するシステムが開示されている。
【先行技術文献】
【特許文献】
【０００５】
【特許文献１】特開２００５−２８４３９９号公報
【発明の概要】
【発明が解決しようとする課題】
【０００６】
しかしながら、上記の従来技術では、サービスを受ける施設において写真撮影する場合に、そのサービスに関連するコンテンツも写真の中に収められるようにすることができるとは限らない。例えば、上記の従来技術では、注文情報と、ユーザの顔画像と、サービス提供情報とを合成して記念プリントを生成する。
【０００７】
具体的には、上記の従来技術では、サービスの利用を注文する際に注文情報とともに入力された写真（ユーザの顔画像）を用いて記念プリントを生成するものであるため、そもそもサービスを受ける施設において写真撮影することが想定されていない。したがって、上記の従来技術では、サービスを受ける施設において写真撮影する場合に、そのサービスに関連するコンテンツも写真の中に収められるようにすることができるとは限らない。
【０００８】
本願は、上記に鑑みてなされたものであって、サービスを受ける施設において写真撮影する場合に、そのサービスに関連するコンテンツも写真の中に収められるようにすることができる端末プログラムを提供することを目的とする。
【課題を解決するための手段】
【０００９】
本願にかかる配信装置は、所定の施設におけるサービスを利用者に提供するための認証が得られた場合に、当該所定の施設におけるサービスに関連するコンテンツを取得する取得部と、前記取得部により取得されたコンテンツが前記利用者の端末装置のカメラ機能によって前記端末装置の表示画面に表示される映像に重ねて表示されるよう配信する配信部とを有することを特徴とする。
【発明の効果】
【００１０】
実施形態の一態様によれば、サービスを受ける施設において写真撮影する場合に、そのサービスに関連するコンテンツも写真の中に収められるようにすることができるといった効果を奏する。
【図面の簡単な説明】
【００１１】
【図１】図１は、実施形態にかかる表示制御処理の一例を示す図である。
【図２】図２は、実施形態にかかる配信装置の構成例を示す図である。
【図３】図３は、実施形態にかかる通常コンテンツ記憶部の一例を示す図である。
【図４】図４は、実施形態にかかる位置対応コンテンツ記憶部の一例を示す図である。
【図５】図５は、実施形態にかかる時間対応コンテンツ記憶部の一例を示す図である。
【図６】図６は、実施形態にかかるスポンサーコンテンツ記憶部の一例を示す図である。
【図７】図７は、実施形態にかかる出演者コンテンツ記憶部の一例を示す図である。
【図８】図８は、実施形態にかかる端末装置の構成例を示す図である。
【図９】図９は、表示部に表示される映像にコンテンツが重ねて表示される場合の表示態様の一例を示す。
【図１０】図１０は、実施形態にかかる端末装置による表示制御手順を示すフローチャートである。
【図１１】図１１は、端末装置の機能を実現するコンピュータの一例を示すハードウェア構成図である。
【発明を実施するための形態】
【００１２】
以下に、本願にかかる端末プログラムおよび表示制御方法を実施するための形態（以下、「実施形態」と呼ぶ）について図面を参照しつつ説明する。なお、この実施形態により本願にかかる端末プログラムおよび表示制御方法が限定されるものではない。また、以下の実施形態において、同一の部位には同一の符号を付し、重複する説明は省略される。
【００１３】
〔１．表示制御処理〕
まず、図１を用いて、実施形態にかかる表示制御処理の一例について説明する。図１は、実施形態にかかる表示制御処理の一例を示す図である。実施形態にかかる表示制御処理は、図１に示す端末装置１０によって行われる。
【００１４】
まず、図１に示すシステム構成について説明する。図１の例では、表示制御システム１は、端末装置１０と、配信装置１００とを含む。端末装置１０、配信装置１００は、ネットワークを介して有線または無線により通信可能に接続される。なお、図１に示す表示制御システム１には、複数台の端末装置１０や、複数台の配信装置１００が含まれてもよい。
【００１５】
また、表示制御システム１は、所定のイベント（サービスの一例）が行われるイベント会場（所定の施設の一例）を含む所定のエリアである全体エリアＡＲ内において構築されるシステムである。以下では、かかるイベント会場を「会場Ｈ」とする。また、全体エリアＡＲとは、例えば、会場Ｈを中心とした半径「５ｋｍ」以内、といったものである。
【００１６】
ここで、実施形態にかかる表示制御処理が行われる前提について説明する。現在、イベントやコンサートのチケットとしては、紙媒体のチケットが主流であるが、インターネットの普及に伴い、利便性の高さから紙媒体のチケットから電子チケットへと移行しつつある。例えば、チケットを販売する販売業者は、チケットを申込み、支払いを完了した利用者の端末装置に、電子チケットを配信する。かかる電子チケットは、メール形式で配信される場合もあるし、専用のアカウントでログインしたログイン先のページに表示される場合もある。
【００１７】
以下、イベント会場を例に説明すると、利用者は、例えば、自身の端末装置の表示画面に表示された電子チケットを、イベント会場の入り口に設置される専用のリーダーに読み取らせることで認証を行わせ、認証が得られた場合には、イベント会場への入場を許可される（チェックインが完了する）。
【００１８】
このようなことから、電子チケットは、紙媒体チケットに較べて、紛失してしまう可能性が低く、劣化もしない。また、紙媒体チケットの場合、イベント会場への入場の許可、不許可の判断は、例えば、入り口に居る係員によるチケットの目視確認によって行われるが、必ずしも精度が高いとはいえず、利用者が順番待ちする待ち時間も長くなる。これに対して、電子チケットでは、上記のように認証を機械的に行うことができるため、スムーズな入場を実現することができる。
【００１９】
以上ように紙媒体チケットに較べて、電子チケットには有利な点があるが、一方で、紙媒体チケットの利用を望む声もある。紙媒体チケットの場合、例えば、入場の際、一部が切り取られるが残りは「半券」として利用者の手元に残る。「半券」には、イベントの開催日時、イベント専用のロゴマーク、イベント出演者等といったイベントを特徴付ける情報が記載されていることが多い。このため、イベントに参加した証拠あるいは思い出に「半券」が欲しい、という利用者や、「半券」を収集している利用者も少なくない。つまり、このような利用者は、効率を求めた電子チケットよりも、あえて紙媒体チケットの利用を望む。
【００２０】
したがって、実施形態にかかる端末プログラムは、電子チケットを利用する場合であっても、このような利用者の要望にも応えることができるような表示制御を利用者の端末装置１０に実行させるものである。具体的には、実施形態にかかる端末プログラムは、所定の施設におけるサービスを利用者に提供するための認証が得られた場合に、当該所定の施設におけるサービスに関連するコンテンツを取得する取得手順と、取得手順により取得されたコンテンツをカメラ機能によって端末装置１０の表示画面に表示される映像に重ねて表示させる表示制御手順とを端末装置１０に実行させる。つまり、実施形態にかかる端末プログラムは、端末装置１０において実行されるアプリケーションプログラムである。以下、かかる端末プログラムを「カメラアプリＡＰ」と表記する場合がある。
【００２１】
なお、所定の施設におけるサービスを利用者に提供するための認証とは、かかる利用者が所定の施設におけるサービスの提供を受ける権利を有しているか否かを認証するものである。また、所定の施設におけるサービスを利用者に提供するための認証は、かかる利用者が所定の施設に入場する権利を有しているか否かを認証する、といった概念を含む。また、所定の施設におけるサービスとは、所定の施設にて提供されるサービス、あるいは、所定の施設にて実行されるサービスと解することができるものである。
【００２２】
端末装置１０は、利用者によって利用される情報処理装置であり、タブレット型端末や、ノート型ＰＣ（Personal  Computer）や、デスクトップＰＣや、携帯電話機や、ＰＤＡ（Personal  Digital  Assistant）等であってもよい。また、端末装置１０には、撮像するデバイスであるカメラ部１３（カメラ機能の一例）が内蔵されている。カメラ部１３は、レンズから取り込んだ映像を静止画像として写真撮影したり、動画撮影することができる。例えば、端末装置１０には、利用者の操作に応じてカメラ部１３を制御可能にするアプリケーションが標準アプリとして予めインストールされているが、上記カメラアプリＡＰは、この標準アプリとは異なるものである。
【００２３】
また、配信装置１００は、電子チケットを介して利用者の認証を行うとともに、カメラアプリＡＰがインストールされた端末装置１０からの要求に応じて、各種コンテンツを配信するサーバ装置である。以下では、実施形態にかかる表示制御処理の一例について説明する。実施形態にかかる表示制御処理は、カメラアプリＡＰがインストールされた端末装置１０によって行われる。また、以下の実施形態では、所定の施設の一例として、イベントＸが行われるイベント会場である会場Ｈを用いる。したがって、かかるイベントＸは、所定の施設で提供されるサービスの一例である。また、イベントＸでは、会場Ｈへの入場チケットとして電子チケットが利用されるものとする。
【００２４】
まず、図１に示す端末装置１０の利用者を利用者Ｕ１とすると、利用者Ｕ１は、イベントＸに参加するために、予め電子チケットＣＫを購入済みである。したがって、利用者Ｕ１は、端末装置１０を操作することで、自由に電子チケットＣＫを表示させることができる。
【００２５】
利用者Ｕ１は、会場Ｈへ入場するための受付として、入り口でチケットの提示を求められる。利用者Ｕ１は、図１に示すように、端末装置１０の表示画面に相当する表示部１２に自身の電子チケットＣＫを表示させることで、電子チケットＣＫを提示する（ステップＳ１）。図１の例では、電子チケットＣＫは、ＱＲコード（登録商標）化されており、かかるＱＲコードには、利用者Ｕ１に関する情報である利用者情報（例えば、住所、氏名、年齢、識別情報、パスワード）等が暗号化されて含まれる。
【００２６】
利用者Ｕ１は、このＱＲコード化された電子チケットＣＫを入り口に設置された専用のリーダーにかざす。リーダーは、ＱＲコードを読み取って、ＱＲコード内の利用者情報を配信装置１００に送信する（ステップＳ２）。
【００２７】
配信装置１００は、リーダーを介して端末装置１０から利用者情報を受信すると、電子チケットＣＫがイベントＸに対応したものであるか、また、電子チケットＣＫの所有者が利用者Ｕ１であるかといったことを確認するための認証処理を行う（ステップＳ３）。配信装置１００は、利用者Ｕ１の利用者情報を予め正解データとして所定の記憶部内に有する。このような正解データは、インターネット上からのチケット申込みの際に、申込情報として利用者Ｕ１に入力されたものである。
【００２８】
したがって、配信装置１００は、ＱＲコードに含まれる利用者情報と、正解データとしての利用者情報とを照合し、両者が一致した場合には、利用者Ｕ１の認証を得る。認証が得られると、配信装置１００は、認証が得られた旨の通知として、受付完了ページＰ１を端末装置１０に配信する（ステップＳ４）。具体的には、配信装置１００は、カメラアプリＡＰを含む受付完了ページＰ１を端末装置１０に配信する。
【００２９】
利用者Ｕ１は、カメラアプリＡＰを利用したい場合には、受付完了ページＰ１からダウンロードしたカメラアプリＡＰを、端末装置１０にインストールする。これまで説明してきたように、認証が得られない限り、利用者Ｕ１はカメラアプリＡＰを入手することはできない。したがって、端末装置１０は、カメラアプリＡＰがインストールされた時点で、利用者Ｕ１が認証済みであることを認識する。
【００３０】
このような状態において、利用者Ｕ１がカメラアプリＡＰを起動したとする（ステップＳ５）。かかる場合、端末装置１０は、カメラアプリＡＰの制御に従って、会場Ｈで行われるイベントＸに関連するコンテンツを配信装置１００から取得する（ステップＳ６）。本実施形態では、端末装置１０は、画像コンテンツを取得するものとするが、動画コンテンツであってもよい。
【００３１】
コンテンツを取得する取得処理について一例を示す。例えば、端末装置１０は、ＧＰＳ機能を用いて、利用者Ｕ１の現在位置を示す位置情報を取得する。利用者Ｕ１の現在位置を示す位置情報は、端末装置１０の現在位置を示す位置情報と言い換えることができる。
【００３２】
そして、端末装置１０は、取得した位置情報に基づいて、会場Ｈを含む所定エリア内に利用者Ｕ１が位置するか否かを判定する。図１の例では、端末装置１０は、取得した位置情報に基づいて、全体エリアＡＲ内に利用者Ｕ１が位置するか否かを判定する。端末装置１０は、全体エリアＡＲ内に利用者Ｕ１が位置すると判定した場合には、配信装置１００に対して、コンテンツの取得要求（以下、「コンテンツ要求」と表記する）を送信する。
【００３３】
配信装置１００は、コンテンツ要求を受信すると、受信したコンテンツ要求に応じたコンテンツを自装置内の記憶部から抽出する。そして、配信装置１００は、抽出したコンテンツを端末装置１０に配信する。
【００３４】
例えば、端末装置１０は、配信装置１００からコンテンツＣ１を取得したとする。かかる場合、端末装置１０は、カメラアプリＡＰの制御に従って、コンテンツＣ１をカメラ部１３によって表示部１２に表示される映像（例えば、利用者Ｕ１がこれから写真撮影しようとする映像）に重ねて表示させる（ステップＳ７）。また、このような状態において、端末装置１０は、利用者Ｕ１から写真撮影する操作を受け付けると、現在、表示部１２に表示されている映像であってコンテンツＣ１が上に重ねて表示された映像を写真撮影する。つまり、利用者Ｕ１は、端末装置１０を用いて、コンテンツＣ１が上に表示された状態の写真（画像データ）を取得することができる（ステップＳ８）。
【００３５】
以上、説明してきた通り、実施形態にかかる端末装置１０は、カメラアプリＡＰの制御に従って、利用者に対して所定の施設を利用するための認証が得られた場合に、当該所定の施設で提供されるサービスに関連するコンテンツを取得する。そして、端末装置１０は、取得したコンテンツをカメラ機能によって前記利用者の端末装置の表示画面に表示される映像に重ねて表示させる。このようなことから、実施形態にかかるコンテンツは、「フォトフレーム」等ともよばれる。
【００３６】
これにより、実施形態にかかる端末装置１０は、サービスを受ける施設において写真撮影する場合に、そのサービスに関連するコンテンツも写真の中に収められるようにすることができる。この結果、例えば、サービスを受けるための認証に、紙媒体チケットではなく電子チケットが利用される場合であっても、端末装置１０は、写真の中にサービスを受けた証拠や思い出を残させることができるため、半券の代わりとすることができる。
【００３７】
なお、上記例では、認証済みの利用者が施設を含む所定エリア内に位置していれば、端末装置１０が、施設で提供されるサービスに関連するコンテンツを取得する例を示した。しかし、端末装置１０は、利用者の認証が得られていれば、以下のバリエーションによって示される取得処理を行うこともできる。
【００３８】
例えば、端末装置１０は、カメラアプリＡＰの制御に従って、上記所定エリア内における利用者の位置に応じたコンテンツを取得してもよい。また、端末装置１０は、カメラアプリＡＰの制御に従って、時刻に応じたコンテンツを取得してもよい。また、端末装置１０は、カメラアプリＡＰの制御に従って、チケットの種別に応じたコンテンツを取得してもよい。また、端末装置１０は、カメラアプリＡＰの制御に従って、施設で提供されるサービスのスポンサーに関連するコンテンツを取得してもよい。また、端末装置１０は、カメラアプリＡＰの制御に従って、施設で提供されるサービスに関連する人物、または、キャラクターを含むコンテンツを取得してもよい。これら取得処理のバリエーションについては、後ほど詳しく説明する。
【００３９】
〔２．配信装置の構成〕
次に、図２を用いて、実施形態にかかる配信装置１００について説明する。図２は、実施形態にかかる配信装置１００の構成例を示す図である。図２に示すように、配信装置１００は、通信部１１０と、記憶部１２０と、制御部１３０とを有する。
【００４０】
（通信部１１０について）
通信部１１０は、例えば、ＮＩＣ（Network  Interface  Card）等によって実現される。そして、通信部１１０は、ネットワークと有線または無線で接続され、例えば、端末装置１０との間で情報の送受信を行う。
【００４１】
記憶部１２０は、例えば、ＲＡＭ（Random  Access  Memory)、フラッシュメモリ等の半導体メモリ素子またはハードディスク、光ディスク等の記憶装置によって実現される。記憶部１２０は、通常コンテンツ記憶部１２１と、位置対応コンテンツ記憶部１２２と、時間対応コンテンツ記憶部１２３と、スポンサーコンテンツ記憶部１２４と、出演者コンテンツ記憶部１２５とを有する。
【００４２】
（通常コンテンツ記憶部１２１について）
通常コンテンツ記憶部１２１は、所定の施設におけるサービスを利用者に提供するための認証が得られている場合に、その利用者に提供されるコンテンツを記憶する。また、通常コンテンツ記憶部１２１は、所定の施設を含む所定エリア内に認証済みの利用者が位置する場合に、その利用者に提供されるコンテンツを記憶する。図１の例を用いると、通常コンテンツ記憶部１２１は、会場Ｈを含む全体エリアＡＲ内に位置する利用者であって認証済みの利用者に提供されるコンテンツを記憶する。
【００４３】
ここで、図３に実施形態にかかる通常コンテンツ記憶部１２１の一例を示す。図３の例では、通常コンテンツ記憶部１２１は、「コンテンツＩＤ」、「コンテンツ」、「有効期限」といった項目を有する。「コンテンツＩＤ」は、コンテンツを識別する識別情報を示す。
【００４４】
「コンテンツ」は、実際に提供されるコンテンツそのもの、すなわちコンテンツデータを示す。図３の例では、「コンテンツ」として概念的な記号を用いているが、実際には、「コンテンツ」は、画像コンテンツ（画像データ）や、動画コンテンツ（動画データ）である。例えば、コンテンツデータＤＡ１がイベントのロゴマークであれば、コンテンツデータＤＡ１には、「イベントロゴマーク（Ａ）」といったコンテンツを特徴付ける見出しであるテキストデータも含まれる。なお、図１でも示したが、以下の実施形態では、各コンテンツを区別して表記する場合、コンテンツＩＤを用いることにする。例えば、コンテンツＩＤ「Ｃ１」によって識別されるコンテンツ（コンテンツデータＤＡ１）を「コンテンツＣ１」と表記する。
【００４５】
「有効期限」は、コンテンツがカメラ映像に重ねて表示される表示可能な期限を示す。「有効期限」は、配信装置１００によって配信される配信可能な期限、端末装置１０内に保存される保存可能な期限といった概念も含むものとする。図３では、「有効期限」として、各コンテンツに「２０１６年９月１７日〜２０１６年９月２０日」が対応付けられている例を示す。
【００４６】
なお、通常コンテンツ記憶部１２１に格納される各コンテンツは、サービスを提供する提供主から配信装置１００に対して入稿される。図１の例を用いると、コンテンツＣ１〜Ｃ３は、イベントＸの主催者から配信装置１００に対して入稿される。
【００４７】
（位置対応コンテンツ記憶部１２２について）
位置対応コンテンツ記憶部１２２は、所定の施設を含む所定エリア内にさらに複数のエリアが含まれる場合における、この複数のエリアそれぞれに対応するコンテンツを記憶する記憶部である。具体的には、位置対応コンテンツ記憶部１２２は、上記複数のエリアのうち、利用者が位置するエリアに応じて当該利用者に提供されるコンテンツを記憶する。図１の例を用いると、位置対応コンテンツ記憶部１２２は、全体エリアＡＲ内に含まれる複数のエリアであるエリアＡＲ１〜ＡＲ３のうち、利用者が位置するエリアに応じて当該利用者に提供されるコンテンツを記憶する。
【００４８】
ここで、図４に実施形態にかかる位置対応コンテンツ記憶部１２２の一例を示す。図４の例では、位置対応コンテンツ記憶部１２２は、「エリアＩＤ」、「エリア範囲」、「コンテンツＩＤ」、「コンテンツ」、「有効期限」といった項目を有する。以下、各項目について、図１の例に則して説明する。
【００４９】
「エリアＩＤ」は、全体エリアＡＲに含まれる複数のエリアのうち、各エリアを識別する識別情報を示す。例えば、エリアＩＤ「ＡＲ１」によって識別されるエリアであるエリアＡＲ１は、全体エリアＡＲに含まれる複数のエリアのうちの１つである。
【００５０】
「エリア範囲」は、対応する「エリアＩＤ」によって識別されるエリアの範囲を示す。例えば、エリア範囲「Ｐ１１」は、エリアＡＲ１の範囲を示す位置情報である。なお、図４の例では、エリア範囲として概念的な記号を用いているが、実際には、例えば、座標が記憶される。
【００５１】
「コンテンツＩＤ」は、コンテンツを識別する識別情報を示す。「コンテンツ」は、実際に提供されるコンテンツそのもの、すなわちコンテンツデータを示す。図４の例では、「コンテンツ」として概念的な記号を用いているが、実際には、「コンテンツ」は、画像コンテンツ（画像データ）や、動画コンテンツ（動画データ）である。また、図３の例と同様に、コンテンツデータには、コンテンツを特徴付ける見出しであるテキストデータも含まれる。
【００５２】
「有効期限」は、コンテンツがカメラ映像に重ねて表示される表示可能な期限を示す。「有効期限」は、配信装置１００によって配信される配信可能な期限、端末装置１０内に保存される保存可能な期限といった概念も含むものとする。図４では、「有効期限」として、各コンテンツに「２０１６年９月１７日〜２０１６年９月１９日」が対応付けられている例を示す。例えば、この期間は、イベントＸが開催される開催期間に対応する。なお、位置対応コンテンツ記憶部１２２に格納される各コンテンツも、例えば、イベントＸの主催者から配信装置１００に対して入稿される。
【００５３】
（時間対応コンテンツ記憶部１２３について）
時間対応コンテンツ記憶部１２３は、時刻に応じたコンテンツを記憶する記憶部である。図１の例を用いると、時間対応コンテンツ記憶部１２３は、会場Ｈで開催されるイベントＸのスケジュールに応じて利用者に提供されるコンテンツを記憶する。
【００５４】
ここで、図５に実施形態にかかる時間対応コンテンツ記憶部１２３の一例を示す。図５の例では、時間対応コンテンツ記憶部１２３は、「時間帯」、「コンテンツＩＤ」、「コンテンツ」、「有効期限」といった項目を有する。
【００５５】
「時間帯」は、イベントＸのスケジュールに合わせて設定された時間帯を示す。「コンテンツＩＤ」、「コンテンツ」、「有効期限」については、これまでと同様であるため説明を省略する。
【００５６】
例えば、図５の例では、時間帯「１０時〜１２時」の間に、利用者に提供されるコンテンツとしてコンテンツＣ３１が記憶されている例を示す。時間対応コンテンツ記憶部１２３に格納される各コンテンツも、例えば、イベントＸの主催者から配信装置１００に対して入稿される。
【００５７】
（スポンサーコンテンツ記憶部１２４について）
スポンサーコンテンツ記憶部１２４は、所定の施設で提供されるサービスのスポンサーに関連するコンテンツを記憶する記憶部である。図１の例を用いると、スポンサーコンテンツ記憶部１２４は、イベントＸのスポンサーから入稿されたコンテンツを記憶する。
【００５８】
ここで、図６に実施形態にかかるスポンサーコンテンツ記憶部１２４の一例を示す。図６の例では、スポンサーコンテンツ記憶部１２４は、「スポンサーＩＤ」、「コンテンツＩＤ」、「スポンサー名」、「コンテンツ」、「有効期限」といった項目を有する。
【００５９】
「スポンサーＩＤ」は、イベントＸのスポンサーを識別する識別情報を示す。「スポンサー名」は、イベントＸのスポンサーの名称を示す。「コンテンツＩＤ」、「コンテンツ」、「有効期限」については、これまでと同様であるため説明を省略する。
【００６０】
例えば、図６の例では、スポンサーＩＤ「ＳＰ１」によって識別されるスポンサー（名称：スポンサーＮＡ１）によって、コンテンツＣ４１が入稿されている例を示す。なお、このように、スポンサーから入稿されるコンテンツは、広告コンテンツといえる。
【００６１】
（出演者コンテンツ記憶部１２５について）
出演者コンテンツ記憶部１２５は、所定の施設で提供されるサービスに関連する人物、または、キャラクターを含むコンテンツを記憶する記憶部である。図１の例を用いると、出演者コンテンツ記憶部１２５は、イベントＸに出演する出演者（例えば、アーティスト等）の画像含むコンテンツを記憶する。
【００６２】
ここで、図７に実施形態にかかる出演者コンテンツ記憶部１２５の一例を示す。図７の例では、出演者コンテンツ記憶部１２５は、「出演者ＩＤ」、「出演者データ」、「コンテンツＩＤ」、「コンテンツ」、「有効期限」といった項目を有する。
【００６３】
「出演者ＩＤ」は、イベントＸに出演する出演者を識別する識別情報を示す。「出演者データ」は、イベントＸに出演する出演者に関する情報（例えば、個人名、グループ名、キャラクター名等）を示す。「コンテンツＩＤ」、「コンテンツ」、「有効期限」については、これまでと同様であるため説明を省略する。
【００６４】
例えば、図７の例では、出演者ＩＤ「Ａ１」によって識別される出演者の画像を含むコンテンツＣ５１が入稿されている例を示す。なお、出演者コンテンツ記憶部１２５に格納される各コンテンツも、例えば、イベントＸの主催者から配信装置１００に対して入稿される。
【００６５】
なお、これまで説明してきた各記憶部は、端末装置１０にも保持されてよい。例えば、端末装置１０は、カメラアプリＡＰがインストールされた時点で、配信装置１００にアクセスし、各記憶部に格納されるコンテンツを取得し、取得したコンテンツを自装置内に格納しておいてもよい。かかる場合、端末装置１０は、記憶部１２０を有する。
【００６６】
（制御部１３０について）
図３に戻り、制御部１３０は、ＣＰＵ（Central  Processing  Unit）やＭＰＵ（Micro  Processing  Unit）等によって、配信装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００６７】
図３に示すように、制御部１３０は、入稿受付部１３１と、認証部１３２と、要求受付部１３３と、配信部１３４とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００６８】
（入稿受付部１３１について）
入稿受付部１３１は、コンテンツの入稿を受け付ける。また、入稿受付部１３１は、受け付けたコンテンツに対して識別情報を払い出し、払い出した識別情報にコンテンツを対応付けて記憶部１２０に格納する。例えば、入稿受付部１３１は、イベントＸの主催者から入稿されたコンテンツを、通常コンテンツ記憶部１２１、位置対応コンテンツ記憶部１２２、時間対応コンテンツ記憶部１２３、または、出演者コンテンツ記憶部１２５のうち、対応する記憶部に格納する。また、入稿受付部１３１は、イベントＸの主催者から入稿されたコンテンツをスポンサーコンテンツ記憶部１２４に格納する。
【００６９】
（認証部１３２）
認証部１３２は、利用者に対して認証を行う。具体的には、認証部１３２は、所定の施設におけるサービスを利用者に提供するための認証を、かかる利用者に対して行う。この点について、図１の例を用いて説明する。
【００７０】
例えば、利用者Ｕ１が、会場Ｈに設置された専用のリーダーに、ＱＲコード化された電子チケットＣＫかざしたとする。かかる場合、認証部１３２は、リーダーを介して、利用者Ｕ１の端末装置１０から、ＱＲコード内に含まれる利用者情報を受信する。そして、認証部１３２は、電子チケットＣＫがイベントＸに対応したものであるか、また、電子チケットＣＫの所有者が利用者Ｕ１であるかといったことを確認するための認証処理を行う。具体的には、認証部１３２は、ＱＲコードに含まれる利用者情報と、予め有している正解データとしての利用者情報とを照合し、両者が一致するか否かを判定する。そして、認証部１３２は、一致すると判定した場合に、利用者Ｕ１の認証を得る。
【００７１】
（要求受付部１３３について）
要求受付部１３３は、端末装置１０からコンテンツ要求を受け付ける。例えば、要求受付部１３３は、利用者の現在位置を示す位置情報を含むコンテンツ要求を受け付ける。
【００７２】
（配信部１３４について）
配信部１３４は、端末装置１０にコンテンツを配信する。例えば、配信装置１３４は、要求受付部１３３によってコンテンツ要求が受け付けられた場合に、記憶部１２０からコンテンツを抽出する。例えば、配信装置１３４は、要求受付部１３３によってコンテンツ要求が受け付けられた場合に、要求送信元の利用者の位置情報および現在時刻に基づいて、通常コンテンツ記憶部１２１、位置対応コンテンツ記憶部１２２、時間対応コンテンツ１２３、スポンサーコンテンツ記憶部１２４、出演者コンテンツ記憶部１２５からコンテンツを抽出する。そして、配信部１３４は、抽出したコンテンツを端末装置１０に配信する。
【００７３】
また、配信部１３４は、認証部１３２によって認証が得られた場合に、実施形態にかかる端末プログラムである「カメラアプリＡＰ」を配信する。例えば、配信部１３４は、認証部１３２によって認証が得られた場合に、受付完了を通知するための受付完了ページＰ１であってカメラアプリＡＰをダウンロード可能な受付完了ページＰ１を端末装置１０に配信する。
【００７４】
〔３．端末装置の構成〕
次に、図８を用いて、実施形態にかかる端末装置１０について説明する。図８は、実施形態にかかる端末装置１０の構成例を示す図である。図８に示すように、端末装置１０は、通信部１１と、表示部１２と、カメラ部１３とを有する。
【００７５】
（通信部１１について）
通信部１１は、例えば、ＮＩＣ等によって実現される。そして、通信部１１は、ネットワークと有線または無線で接続され、例えば、配信装置１００との間で情報の送受信を行う。
【００７６】
（表示部１２について）
表示部１２は、各種情報を表示する表示デバイスであり、いわゆる表示画面に相当する。例えば、表示部１２には、タッチパネルが採用される。また、表示部１２は、例えば、カメラ部１３によってレンズから取り込まれた映像を表示する。また、表示部１２は、後述する表示制御部１４ｄによる制御に従って各種情報を表示する。
【００７７】
（カメラ部１３について）
カメラ部１３は、撮像素子を内蔵し、画像や動画を撮像するデバイスである。撮像素子は、ＣＣＤ(Charge  Coupled  Device)、ＣＯＭＳ（Complementary  Metal  Oxide  Semiconductor）など何れでもよい。例えば、カメラ部１３は、レンズから取り込んだ映像であって表示部１２に現在表示されている映像を静止画像として写真撮影したり、動画撮影することができる。
【００７８】
（アプリ制御部１４について）
アプリ制御部１４は、端末装置１０内で「カメラアプリＡＰ」を実行することにより、端末装置１０内で実現される制御部である。アプリ制御部１４は、ＣＰＵやＭＰＵ等によって、端末装置１０内部の記憶装置に記憶されている各種プログラムがＲＡＭを作業領域として実行されることにより実現される。また、アプリ制御部１４は、例えば、ＡＳＩＣやＦＰＧＡ等の集積回路により実現される。
【００７９】
図８に示すように、アプリ制御部１４は、検知部１４ａと、位置情報取得部１４ｂと、コンテンツ取得部１４ｃと、表示制御部１４ｄと、送信部１４ｅとを有し、以下に説明する情報処理の機能や作用を実現または実行する。なお、アプリ制御部１４の内部構成は、図８に示した構成に限られず、後述する情報処理を行う構成であれば他の構成であってもよい。また、アプリ制御部１４が有する各処理部の接続関係は、図８に示した接続関係に限られず、他の接続関係であってもよい。
【００８０】
（検知部１４ａについて）
検知部１４ａは、端末装置１０に対する利用者の操作（利用者操作）を検知する。例えば、端末装置１０にタッチパネルが採用されている場合、検知部１４ａは、端末装置１０に対する利用者の操作を検知する。また、検知部１４ａは、カメラアプリＡＰ介して、カメラ部１３を制御する利用者操作を検知する。
【００８１】
（位置情報取得部１４ｂ）
位置情報取得部１４ｂは、位置情報を取得する。具体的には、位置情報取得部１４ｂは、ＧＰＳ機能を用いて、端末装置１０の現在位置を示す位置情報を取得する。例えば、位置情報取得部１４ｂは、カメラアプリＡＰが起動されたことが検知された場合に、位置情報を取得する。また、位置情報取得部１４ｂは、定期的に位置情報を取得してもよい。
【００８２】
（コンテンツ取得部１４ｃについて）
コンテンツ取得部１４ｃは、利用者に対する認証が得られた場合に、当該所定の施設で提供されるサービスに関連するコンテンツを取得する。例えば、コンテンツ取得部１４ｃは、認証として端末装置１０に表示される電子チケットである二次元バーコード（ＱＲコード）を読み取ることによる認証が得られた場合に、コンテンツを取得する。また、コンテンツ取得部１４ｃは、認証が得られている状態において、検知部１４ａよってカメラ機能を起動する操作、すなわちカメラアプリＡＰを起動する操作が検知された場合に、コンテンツを取得する。また、コンテンツ取得部１４ｃは、所定の期間中にのみ表示可能なコンテンツ（有効期限が定められているコンテンツ）を取得する。以下では、コンテンツ取得部１４ｃによるコンテンツの取得処理を複数のパターンに分けて説明する。
【００８３】
（第１のパターン）
コンテンツ取得部１４ｃは、所定の施設を含む所定エリア内に利用者が位置する場合に、コンテンツを取得する。この点について、図１の例を用いて説明する。図１の例では、コンテンツ取得部１４ｃは、会場Ｈを含む全体エリアＡＲ内に利用者が位置する場合に、配信装置１００からコンテンツを取得する。まず、対象とする利用者を利用者Ｕ１とし、利用者Ｕ１は認証済みであるものとする。また、利用者Ｕ１は、端末装置１０にカメラアプリＡＰをインストール済みであるものとする。
【００８４】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【００８５】
配信装置１００の要求受付部１３３によってコンテンツ要求が受け付けられると、配信部１３４は、コンテンツ要求に含まれる位置情報に基づいて、会場Ｈを含む全体エリアＡＲ内に利用者Ｕ１が位置しているか否かを判定する。配信部１３４は、会場Ｈを含む全体エリアＡＲ内に利用者Ｕ１が位置していると判定した場合には、通常コンテンツ記憶部１２１からコンテンツを抽出する。
【００８６】
ここで、通常コンテンツ記憶部１２１が図３の状態である場合、配信部１３４は、現在日時が有効期限「２０１６年９月１７日〜２０１６年９月２０日」に含まれるか否かを判定する。配信部１３４は、現在日時が有効期限「２０１６年９月１７日〜２０１６年９月２０日」に含まれると判定すると、通常コンテンツ記憶部１２１からコンテンツＣ１〜Ｃ３を抽出する。そして、配信部１３４は、コンテンツＣ１〜Ｃ３を端末装置１０に配信する。以上のようにして、コンテンツ取得部１４ｃは、配信装置１００からコンテンツＣ１〜Ｃ３を取得する。
【００８７】
なお、端末装置１０は、例えば、図３に示す通常コンテンツ記憶部１２１を有してもよい。端末装置１０が通常コンテンツ記憶部１２１を有している場合には、コンテンツ取得部１４ｃは、配信装置１００からコンテンツを取得するのではなく、端末装置１０内の通常コンテンツ記憶部１２１からコンテンツを取得する。かかる場合、コンテンツ取得部１４ｃは、配信部１３４と同様に、利用者Ｕ１の位置情報に基づいて、コンテンツを取得する。すなわち、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。そして、コンテンツ取得部１４ｃは、全体エリアＡＲ内に利用者Ｕ１が位置し、有効期限内であれば、コンテンツＣ１〜Ｃ３を取得する。
【００８８】
また、コンテンツ取得部１４ｃは、全体エリアＡＲ内に利用者Ｕ１が位置しているか否かを判定し位置していると判定した場合に、利用者Ｕ１の位置情報を含むコンテンツ要求を配信装置１００に送信することで、配信装置１００からコンテンツ取得してもよい。
【００８９】
（第２のパターン）
コンテンツ取得部１４ｃは、所定の施設を含む所定エリア内において利用者が位置する位置情報に応じたコンテンツを取得する。この点について、図１の例を用いて説明する。例えば、会場Ｈを含む全体エリアＡＲ内には、さらに複数のエリアであるＡＲ１〜ＡＲ３が含まれるものとする。したがって、図１の例では、コンテンツ取得部１４ｃは、全体エリアＡＲ内に含まれる複数のエリアであるＡＲ１〜ＡＲ３のうち、利用者が位置するエリアに応じたコンテンツを取得する。第１のパターンと同様、対象とする利用者を利用者Ｕ１とし、利用者Ｕ１は認証済みであるものとする。また、利用者Ｕ１は、端末装置１０にカメラアプリＡＰをインストール済みであるものとする。
【００９０】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【００９１】
要求受付部１３３によってコンテンツ要求が受け付けられると、配信部１３４は、コンテンツ要求に含まれる位置情報と、位置対応コンテンツ記憶部１２２に記憶される「エリア範囲」とに基づいて、利用者Ｕ１がエリアＡＲ１〜ＡＲ３のいずれかに位置するか否かを判定する。例えば、配信部１３４は、利用者Ｕ１がエリアＡＲ１内に位置すると判定した場合には、位置対応コンテンツ記憶部１２２から、エリアＡＲ１に対応するコンテンツを抽出する。
【００９２】
ここで、位置対応コンテンツ記憶部１２２が図４の状態である場合、配信部１３４は、現在日時が有効期限「２０１６年９月１７日〜２０１６年９月２０日」に含まれるか否かを判定する。配信部１３４は、現在日時が有効期限「２０１６年９月１７日〜２０１６年９月２０日」に含まれると判定すると、位置対応コンテンツ記憶部１２２から、エリアＡＲ１に対応付けられるコンテンツＣ１１を抽出する。そして、配信部１３４は、コンテンツＣ１１を端末装置１０に配信する。以上のようにして、コンテンツ取得部１４ｃは、配信装置１００からコンテンツＣ１１を取得する。
【００９３】
なお、端末装置１０は、例えば、図４に示す位置対応コンテンツ記憶部１２２を有してもよい。端末装置１０が位置対応コンテンツ記憶部１２２を有している場合には、コンテンツ取得部１４ｃは、配信装置１００からコンテンツを取得するのではなく、端末装置１０内の位置対応コンテンツ記憶部１２２からコンテンツを取得する。かかる場合、コンテンツ取得部１４ｃは、利用者Ｕ１の位置情報と「エリア範囲」とに基づいて、コンテンツを取得する。すなわち、コンテンツ取得部１４ｃは、認証済みの利用者Ｕ１がカメラアプリＡＰを起動した場合に、利用者Ｕ１がエリアＡＲ１〜ＡＲ３のいずれかに位置するか否かを判定するとともに、現在が有効期限内であるか否かを判定する。そして、コンテンツ取得部１４ｃは、利用者Ｕ１がエリアＡＲ１〜ＡＲ３のいずれかに位置し、有効期限内であれば、エリアＡＲ１〜ＡＲ３のうち利用者Ｕ１が位置するエリアに対応付けられるコンテンツを取得する。
【００９４】
また、コンテンツ取得部１４ｃは、利用者Ｕ１がエリアＡＲ１〜ＡＲ３のいずれかに位置するか否かを判定し、いずれかのエリアに位置すると判定した場合には、利用者Ｕ１が位置するエリアに関する情報を含むコンテンツ要求を配信装置１００に送信することで、配信装置１００からコンテンツ取得してもよい。
【００９５】
（第３のパターン）
コンテンツ取得部１４ｃは、認証が得られている状態においてカメラ機能を起動する操作が検知された時刻情報に応じたコンテンツを取得する。コンテンツ取得部１４ｃは、認証が得られている状態において、所定の施設を含む所定エリア内に利用者が位置する場合に、カメラ機能を起動する操作が検知された時刻情報に応じたコンテンツを取得する。この点について、図１の例を用いて説明する。図１の例では、コンテンツ取得部１４ｃは、会場Ｈを含む全体エリアＡＲ内に認証済みの利用者が位置する場合に、カメラアプリＡＰを介して、カメラ部１３を制御する利用者操作が検知された時刻情報に応じたコンテンツを取得する。
【００９６】
例えば、検知部１４ａがカメラアプリＡＰを起動する利用者操作を検知したとする。かかる場合、コンテンツ取得部１４ｃは、位置情報取得部１４ｂによって取得された利用者Ｕ１の位置情報と、カメラアプリＡＰが起動された時間を示す時刻情報を含むコンテンツ要求を配信装置１００に送信する。カメラアプリＡＰを起動された時間は、「１０時３０分」であったものとする。
【００９７】
要求受付部１３３によってコンテンツ要求が受け付けられると、配信部１３４は、コンテンツ要求に含まれる位置情報を含む全体エリアＡＲ内に利用者Ｕ１が位置しているか否かを判定する。配信部１３４は、会場Ｈを含む全体エリアＡＲ内に利用者Ｕ１が位置していると判定した場合には、時間対応コンテンツ記憶部１２３から、コンテンツ要求に含まれる時刻情報に対応するコンテンツを抽出する。
【００９８】
ここで、時間対応コンテンツ記憶部１２３が図５の状態である場合、配信部１３４は、現在日時が有効期限「２０１６年９月１７日〜２０１６年９月２０日」に含まれるか否かを判定する。配信部１３４は、現在日時が有効期限「２０１６年９月１７日〜２０１６年９月２０日」に含まれると判定すると、時間対応コンテンツ記憶部１２３から、時間帯「１０：００〜１２：００」に対応付けられるコンテンツＣ３１を抽出する。そして、配信部１３４は、コンテンツＣ３１を端末装置１０に配信する。以上のようにして、コンテンツ取得部１４ｃは、配信装置１００からコンテンツＣ３１を取得する。
【００９９】
なお、端末装置１０は、例えば、図５に示す時間対応コンテンツ記憶部１２３を有してもよい。端末装置１０が時間対応コンテンツ記憶部１２３を有している場合には、コンテンツ取得部１４ｃは、配信装置１００からコンテンツを取得するのではなく、端末装置１０内の時間対応コンテンツ記憶部１２３からコンテンツを取得する。かかる場合、コンテンツ取得部１４ｃは、利用者Ｕ１の位置情報と、カメラアプリＡＰが起動され時刻とに基づいて、コンテンツを取得する。すなわち、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。そして、コンテンツ取得部１４ｃは、全体エリアＡＲ内に利用者Ｕ１が位置し、かつ、有効期限内であれば、時間帯「１０：００〜１２：００」に対応付けられるコンテンツＣ３１を取得する。
【０１００】
（第４のパターン）
コンテンツ取得部１４ｃは、所定の施設で提供されるサービスのスポンサーに関連するコンテンツを取得する。この点について、図１の例を用いて説明する。図１の例では、コンテンツ取得部１４ｃは、会場Ｈを含む全体エリアＡＲ内に認証済みの利用者が位置する場合に、スポンサーに関連するコンテンツを取得する。まず、対象とする利用者を利用者Ｕ１とし、利用者Ｕ１は認証済みであるものとする。また、利用者Ｕ１は、端末装置１０にカメラアプリＡＰをインストール済みであるものとする。
【０１０１】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【０１０２】
配信装置１００の要求受付部１３３によってコンテンツ要求が受け付けられると、配信部１３４は、コンテンツ要求に含まれる位置情報に基づいて、会場Ｈを含む全体エリアＡＲ内に利用者Ｕ１が位置しているか否かを判定する。配信部１３４は、会場Ｈを含む全体エリアＡＲ内に利用者Ｕ１が位置していると判定した場合には、スポンサーコンテンツ記憶部１２４からコンテンツを抽出する。
【０１０３】
ここで、スポンサーコンテンツ記憶部１２４が図６の状態である場合、配信部１３４は、現在日時が有効期限「２０１６年９月１７日〜２０１６年９月２０日」に含まれるか否かを判定する。配信部１３４は、現在日時が有効期限「２０１６年９月１７日〜２０１６年９月２０日」に含まれると判定すると、スポンサーコンテンツ記憶部１２４から、コンテンツＣ４１〜Ｃ４４を抽出する。そして、配信部１３４は、コンテンツＣ４１〜Ｃ４４を端末装置１０に配信する。以上のようにして、コンテンツ取得部１４ｃは、配信装置１００からコンテンツＣ４１〜Ｃ４４を取得する。
【０１０４】
なお、端末装置１０は、例えば、図６に示すスポンサーコンテンツ記憶部１２４を有してもよい。端末装置１０がスポンサーコンテンツ記憶部１２４を有している場合には、コンテンツ取得部１４ｃは、配信装置１００からコンテンツを取得するのではなく、端末装置１０内のスポンサーコンテンツ記憶部１２４からコンテンツを取得する。かかる場合、コンテンツ取得部１４ｃは、利用者Ｕ１の位置情報とに基づいて、コンテンツを取得する。すなわち、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。そして、コンテンツ取得部１４ｃは、全体エリアＡＲ内に利用者Ｕ１が位置し、有効期限内であれば、コンテンツＣ４１〜Ｃ４４を取得する。
【０１０５】
また、スポンサーコンテンツ記憶部１２４に記憶されるコンテンツにも、図４に示す「エリア範囲」や図５に示す「時間帯」が対応付けられることで、コンテンツ取得部１４ｃは、利用者の位置情報に応じたスポンサーコンテンツや、時間帯に応じたスポンサーコンテンツを取得するように構成されてもよい。
【０１０６】
（第５のパターン）
コンテンツ取得部１４ｃは、所定の施設で提供されるサービスに関連する人物、または、キャラクターを含むコンテンツを取得する。この点について、図１の例を用いて説明する。図１の例では、コンテンツ取得部１４ｃは、会場Ｈを含む全体エリアＡＲ内に認証済みの利用者が位置する場合に、イベントＸに関連する人物、または、キャラクターを含むコンテンツを取得する。イベントＸに関連する人物、または、キャラクターとは、例えば、イベントＸに出演する出演者（例えば、アーティストやマスコットキャラクター）を含むコンテンツを取得する。まず、対象とする利用者を利用者Ｕ１とし、利用者Ｕ１は認証済みであるものとする。また、利用者Ｕ１は、端末装置１０にカメラアプリＡＰをインストール済みであるものとする。
【０１０７】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【０１０８】
配信装置１００の要求受付部１３３によってコンテンツ要求が受け付けられると、配信部１３４は、コンテンツ要求に含まれる位置情報に基づいて、会場Ｈを含む全体エリアＡＲ内に利用者Ｕ１が位置しているか否かを判定する。配信部１３４は、会場Ｈを含む全体エリアＡＲ内に利用者Ｕ１が位置していると判定した場合には、出演者コンテンツ記憶部１２５からコンテンツＣ５１〜Ｃ５４を抽出する。
【０１０９】
ここで、出演者コンテンツ記憶部１２５が図７の状態である場合、配信部１３４は、現在日時が有効期限「２０１６年９月１７日〜２０１６年９月２０日」に含まれるか否かを判定する。配信部１３４は、現在日時が有効期限「２０１６年９月１７日〜２０１６年９月２０日」に含まれると判定すると、出演者コンテンツ記憶部１２５から、コンテンツＣ５１〜Ｃ５４を抽出する。そして、配信部１３４は、コンテンツＣ５１〜Ｃ５４を端末装置１０に配信する。以上のようにして、コンテンツ取得部１４ｃは、配信装置１００からコンテンツＣ５１〜Ｃ５４を取得する。
【０１１０】
なお、端末装置１０は、例えば、図７に示す出演者コンテンツ記憶部１２５を有してもよい。端末装置１０が出演者コンテンツ記憶部１２５を有している場合には、コンテンツ取得部１４ｃは、配信装置１００からコンテンツを取得するのではなく、端末装置１０内の出演者コンテンツ記憶部１２５からコンテンツを取得する。すなわち、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。そして、コンテンツ取得部１４ｃは、全体エリアＡＲ内に利用者Ｕ１が位置し、有効期限内であれば、コンテンツＣ５１〜Ｃ５４を取得する。
【０１１１】
また、出演者コンテンツ記憶部１２５に記憶されるコンテンツにも、図４に示す「エリア範囲」や図５に示す「時間帯」が対応付けられることで、コンテンツ取得部１４ｃは、利用者の位置情報に応じた出演者コンテンツや、時間帯に応じた出演者コンテンツを取得するように構成されてもよい。
【０１１２】
また、コンテンツ取得部１４ｃは、利用者が認証済みであれば、かかる利用者が所定の施設を含む所定エリア内に位置していなくてもコンテンツを取得することで、コンテンツが表示部１２に表示されるようにしてもよい。例えば、コンテンツ取得部１４ｃは、利用者Ｕ１が認証済みであれば、利用者Ｕ１が会場Ｈを含む全体エリアＡＲ内に位置していなくてもコンテンツを取得することで、かかるコンテンツを後述する表示制御部１４ｄに表示させてよい。これにより、利用者Ｕ１は、イベントＸ終了後、有効期限内であれば、例えば、自宅においてもコンテンツが重ねて表示されるような写真を得ることができる。
【０１１３】
（表示制御部１４ｄについて）
表示制御部１４ｄは、コンテンツ取得部１４ｃにより取得されたコンテンツをカメラ部１３によって表示部１２に表示される映像に重ねて表示させる。例えば、表示制御部１４ｄは、コンテンツ取得部１４ｃにより取得されたコンテンツを、利用者の操作に応じて制御可能な状態で表示部１２に表示される映像に重ねて表示させる。
【０１１４】
利用者の操作に応じて制御可能な状態とは、例えば、表示部１２に対するピンチイン、ピンチアウト操作に応じてコンテンツのサイズを拡大、縮小可能な状態を示す。また、利用者の操作に応じて制御可能な状態とは、例えば、表示部１２に対するスライド操作に応じてコンテンツを移動可能な状態を示す。
【０１１５】
ここで、図９に、表示部１２に表示される映像にコンテンツが重ねて表示される場合の表示態様の一例を示す。図９（ａ）では、利用者Ｕ１の位置情報に応じて取得されたコンテンツＣ１１が現在の映像に重ねて表示されている。例えば、エリアＡＲ１がＶＩＰ客が入場することのできるエリアであった場合、表示制御部１４ｄは、そのことを証明する態様（ＶＩＰのロゴマークを含む）のコンテンツであるコンテンツＣ１１を、現在の映像に重ねて表示させる。
【０１１６】
また、図９（ｂ）では、位置情報に応じて取得されたコンテンツＣ３１が現在の映像に重ねて表示されている。例えば、カメラアプリＡＰが起動された時間「１０時３０分」はイベントＸが開始される時間帯であった場合、表示制御部１４ｄは、そのことを証明する態様（スタートのロゴマークを含む）のコンテンツであるコンテンツＣ３１を、現在の映像に重ねて表示させる。また、図９（ｃ）では、イベントＸのスポンサーであるスポンサーＳＰ１によって入稿されたコンテンツＣ４１が現在の映像に重ねて表示されている。
【０１１７】
また、表示制御部１４ｄは、コンテンツ取得部１４ｃにより取得されたコンテンツのうち、利用者によって指定されたコンテンツを表示部１２に表示される映像に重ねて表示させてもよい。上記例でも示したように、コンテンツ取得部１４ｃは、１回のコンテンツ要求で複数のコンテンツを取得する場合がある。例えば、コンテンツ取得部１４ｃは、第１のパターン〜第５のパターンで示した取得処理を、それぞれ適宜組み合わせて行うことができ、かかる場合、コンテンツ取得部１４ｃは複数のコンテンツを取得する。
【０１１８】
このような場合、表示制御部１４ｄは、例えば、コンテンツ取得部１４ｃにより取得された各コンテンツに対応付けられる見出しを選択可能な状態で表示部１２に表示させる。つまり、表示制御部１４ｄは、コンテンツ取得部１４ｃにより取得された各コンテンツのうち、映像に重ねて表示させたいコンテンツを見出しの中から選択させる。そして、表示制御部１４ｄは、選択された見出しに対応するコンテンツを表示部１２に表示される映像に重ねて表示させる。
【０１１９】
なお、表示制御部１４ｄは、見出しを表示させるのではなく、コンテンツ取得部１４ｃにより取得された各コンテンツそのものを一覧表示させることで、一覧表示させたコンテンツの中から、重ねて表示させたいコンテンツを選択させてもよい。
【０１２０】
（送信部１４ｅについて）
送信部１４ｅは、カメラ部１３によって撮影された撮像情報（写真）であって表示制御部１４ｄによってコンテンツが重ねられた撮像情報をソーシャルネットワーキングサービス（ＳＮＳ：Social  Networking  Service）を提供するサーバ装置に送信する。例えば、送信部１４ｅは、所定のＳＮＳを提供するサーバ装置と連携することにより、利用者の操作に応じて、表示制御部１４ｄによってコンテンツが重ねられた写真を送信する。
【０１２１】
これにより、実施形態にかかる端末装置１０は、例えば、イベントＸそのもの、あるいは、イベントＸの出演者、あるいは、イベントＸのスポンサーに関する情報をＳＮＳ利用者に対して、効果的に拡散させることができる。
【０１２２】
〔４．処理手順〕
次に、図１０を用いて、実施形態にかかる端末装置１０が、カメラアプリＡＰの制御に従って実行する表示制御処理の手順について説明する。図１０は、実施形態にかかる端末装置１０による表示制御手順を示すフローチャートである。
【０１２３】
まず、端末装置１０は、所定の施設におけるサービスを利用者に提供をするための認証が、当該利用者に対して得られているか否かを判定する（ステップＳ１０１）。端末装置１０は、認証が得られていないと判定した場合には（ステップＳ１０１；Ｎｏ）、認証が得られるまで待機する。一方、端末装置１０は、認証が得られたと判定した場合には（ステップＳ１０１；Ｙｅｓ）、次に、利用者がカメラアプリＡＰを起動したか否かを判定する（ステップＳ１０２）。端末装置１０は、利用者がカメラアプリＡＰを起動していないと判定した場合には（ステップＳ１０２；Ｎｏ）、利用者がカメラアプリＡＰを起動するまで待機する。
【０１２４】
一方、端末装置１０は、利用者がカメラアプリＡＰを起動したと判定した場合には（ステップＳ１０２；Ｙｅｓ）、所定の施設で提供されるサービスに関連するコンテンツを取得する（ステップＳ１０３）。次に、端末装置１０は、取得したコンテンツをカメラ機能によって表示画面に表示される映像に重ねて表示させる（ステップＳ１０４）。
【０１２５】
〔５．変形例〕
実施形態にかかる端末装置１０は、上記実施例以外にも種々の異なる形態にて実施されてよい。そこで、以下では、他の実施形態について説明する。
【０１２６】
〔５−１．コンテンツ取得（１）〕
上記実施形態では、コンテンツ取得部１４ｃが、位置、時間、出演者等に応じたコンテンツ取得する例を示した。しかし、コンテンツ取得部１４ｃは、利用者に対して認証が得られていれば、利用者の属性情報に応じたコンテンツを取得してもよい。利用者の属性情報とは、利用者の年齢、性別、趣味嗜好等である。また、利用者の属性情報として性別を例に挙げると、配信装置１００は、例えば、図２に示す各記憶部において、利用者の性別がさらに対応付けられた状態でコンテンツを記憶している。例えば、出演者コンテンツ記憶部１２５では、性別「女性」に対して、男性アーティストや女性向けキャラクターが中心に対応付け得られる場合がある。
【０１２７】
例えば、コンテンツ取得部１４ｃは、利用者Ｕ１の位置情報および属性情報「女性」を含むコンテンツ要求を配信装置１００に送信することで、利用者Ｕ１が全体エリアＡＲに位置する場合には、属性情報「女性」が対応付けられたコンテンツを配信装置１００から取得する。
【０１２８】
〔５−２．コンテンツ取得（２）〕
コンテンツ取得部１４ｃは、利用者に対して認証が得られていれば、利用者の購買履歴に応じたコンテンツを取得してもよい。例えば、会場Ｈでは、様々なグッズが販売されている場合がある。したがって、コンテンツ取得部１４ｃは、利用者がこのグッズを購入していれば、グッズ購入者にのみ提供されるコンテンツを取得してもよい。
【０１２９】
例えば、利用者Ｕ１が、会場Ｈにおいて、端末装置１０を介して電子マネー利用によりグッズを購入したとする。かかる場合、アプリ制御部１４は、利用者Ｕ１がグッズを購入した旨の情報を配信装置１００に送信する。このようにして、配信装置１００には、各利用者が会場Ｈにて何を購入したかといった購入履歴が利用者毎に蓄積される。また、配信装置１００は、図２では付図示であるが、例えば、会場Ｈにて販売される商品を購入した購入者にのみ提供されるコンテンツを格納した記憶部を有する。
【０１３０】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【０１３１】
配信装置１００の要求受付部１３３によってコンテンツ要求が受け付けられると、配信部１３４は、コンテンツ要求に含まれる位置情報に基づいて、会場Ｈを含む全体エリアＡＲ内に利用者Ｕ１が位置しているか否かを判定する。また、配信部１３４は、利用者Ｕ１が会場Ｈにて販売される商品を購入済みであるか否かを判定する。配信部１３４は、会場Ｈを含む全体エリアＡＲ内に利用者Ｕ１が位置し、商品を購入済みであると判定した場合には、上記購入者にのみ提供されるコンテンツを格納した記憶部からコンテンツを抽出し端末装置１０に配信する。
【０１３２】
なお、これまで説明してきたように、コンテンツ取得部１４ｃが、判定処理を行うことで自装置内の記憶部からコンテンツを取得してもよい。具体的には、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。また、コンテンツ取得部１４ｃは、利用者Ｕ１が会場Ｈにて販売される商品を購入済みであるか否かを判定する。そして、コンテンツ取得部１４ｃは、判定結果に応じて、自装置内の記憶部からコンテンツを取得する。
【０１３３】
〔５−３．コンテンツ取得（３）〕
また、コンテンツ取得部１４ｃは、認証の際に用いられた電子チケットの種別に応じたコンテンツを取得してもよい。電子チケットの種別としては、例えば、一般客用のチェットや、特別客（ＶＩＰ）用のチケット等がある。配信装置１００は、図２では付図示であるが、例えば、上記のような電子チケットの種別毎にコンテンツを格納した記憶部を有する。また、配信装置１００は、各利用者がどのような種別のチケットを購入したかといったチケット情報を利用者毎に蓄積しているものとする。
【０１３４】
このような状態において、検知部１４ａがカメラアプリＡＰを起動する利用者操作を検知したとする。かかる場合、コンテンツ取得部１４ｃは、位置情報取得部１４ｂによって取得された利用者Ｕ１の位置情報を含むコンテンツ要求を配信装置１００に送信する。
【０１３５】
要求受付部１３３によってコンテンツ要求が受け付けられると、配信部１３４は、コンテンツ要求に含まれる位置情報に基づいて、会場Ｈを含む全体エリアＡＲ内に利用者Ｕ１が位置しているか否かを判定する。また、配信部１３４は、利用者Ｕ１が購入済みの電子チケットの種別を特定する。配信部１３４は、会場Ｈを含む全体エリアＡＲ内に利用者Ｕ１が位置すると判定した場合には、利用者Ｕ１の電子チケットの種別に応じたコンテンツを抽出し端末装置１０に配信する。
【０１３６】
なお、これまで説明してきたように、コンテンツ取得部１４ｃが、判定処理を行うことで自装置内の記憶部からコンテンツを取得してもよい。具体的には、コンテンツ取得部１４ｃは、認証済みの利用者Ｕ１がカメラアプリＡＰを起動した場合に、全体エリアＡＲ内に利用者Ｕ１が位置しているか否かを判定するとともに、現在が有効期限内であるか否かを判定する。また、コンテンツ取得部１４ｃは、利用者Ｕ１の電子チケットの種別を特定する。そして、コンテンツ取得部１４ｃは、判定結果に応じて、自装置内の記憶部から、利用者Ｕ１の電子チケットの種別に応じたコンテンツを取得する。
【０１３７】
〔５−４．端末プログラムについて〕
上記実施形態では、端末プログラムは、利用者の認証が得られた後に、所定のウェブページからダウンロードされるものとして説明した。しかしながら、実施形態にかかる端末プログラムは、電子チケットの申込みから購入、そして購入された電子チケットが利用されまでにかかる一連の処理を実現するアプリケーション（例えば、「電子チケット購入アプリ」）が有する一機能として実現されてもよい。
【０１３８】
かかる場合、実施形態にかかる端末プログラムを含む電子チケット購入アプリは、電子チケットを購入するために、購入前に予めダウンロードされる。したがって、実施形態にかかる端末プログラムは、必ずしも、図１に示したように認証後にダウンロードされるものに限定されない。
【０１３９】
〔６．ハードウェア構成〕
また、端末装置１０は、例えば図１１に示すような構成のコンピュータ１０００によって実現される。図１１は、端末装置１０の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４０】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４１】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを通信網５０を介して他の機器へ送信する。
【０１４２】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１４３】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４４】
例えば、コンピュータ１０００が端末装置１０として機能する場合、コンピュータ１０００のＣＰＵ１１００は、ＲＡＭ１２００上にロードされたプログラムを実行することにより、アプリ制御部１４の機能を実現する。また、端末装置１０が、記憶部１２０を有する場合、ＨＤＤ１４００には、記憶部１２０内のデータが格納される。コンピュータ１０００のＣＰＵ１１００は、これらのプログラムを記録媒体１８００から読み取って実行するが、他の例として、他の装置から通信網５０を介してこれらのプログラムを取得してもよい。
【０１４５】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４７】
また、上述してきた各実施形態は、処理内容を矛盾させない範囲で適宜組み合わせることが可能である。
【０１４８】
〔８．効果〕
実施形態にかかる端末プログラムは、所定の施設におけるサービスを利用者に提供するための認証が得られた場合に、当該所定の施設におけるサービスに関連するコンテンツを取得する取得手順（コンテンツ取得部１４ｃ）と、取得手順により取得されたコンテンツをカメラ機能によって端末装置１０の表示画面に表示される映像に重ねて表示させる表示制御手順（表示制御手部１４ｄ）とを端末装置１０に実行させる。
【０１４９】
これにより、実施形態にかかる端末プログラムは、サービスを受ける施設において写真撮影する場合に、そのサービスに関連するコンテンツも写真の中に収められるようにすることができる。
【０１５０】
また、取得手順は、認証として端末装置に表示される電子チケットである二次元バーコードを読み取ることによる認証が得られた場合に、コンテンツを取得する。
【０１５１】
これにより、実施形態にかかる端末プログラムは、紙媒体チケットではなく電子チケットが利用される場合であっても、写真の中にサービスを受けた証拠や思い出を残させることができるため、かかる写真を半券の代わりとすることができる。
【０１５２】
また、取得手順は、認証が得られている状態においてカメラ機能を起動する操作が検知された場合に、コンテンツを取得する。
【０１５３】
これにより、実施形態にかかる端末プログラムは、認証が得られていない状態でコンテンツが提供されてしまうことを防止することができる。
【０１５４】
また、取得手順は、コンテンツとして、所定の期間中にのみ表示可能なコンテンツを取得する。
【０１５５】
これにより、実施形態にかかる端末プログラムは、例えば、所定の施設で提供されるサービスとして所定のイベントが開催されている開催期間中のみ、そのイベントに関するコンテンツを利用者に提供することができる。
【０１５６】
また、取得手順は、所定の施設を含む所定エリア内に利用者が位置する場合に、コンテンツを取得する。
【０１５７】
これにより、実施形態にかかる端末プログラムは、例えば、所定の施設で提供されるサービスとして所定のイベントに利用者が参加した証拠となるコンテンツを利用者に提供することができる。
【０１５８】
また、取得手順は、コンテンツとして、所定の施設を含む所定エリア内において利用者が位置する位置情報に応じたコンテンツを取得する。
【０１５９】
これにより、実施形態にかかる端末プログラムは、例えば、所定の施設で提供されるサービスとして所定のイベントに利用者が参加した証拠となるコンテンツを利用者に提供することができる。また、端末プログラムは、例えば、所定のイベントが開催される会場のうち、どのエリアに利用者がいたか、どのエリアで開催されるイベントに参加していたかといった証拠となるコンテンツを利用者に提供することができる。
【０１６０】
また、取得手順は、コンテンツとして、認証が得られている状態においてカメラ機能を起動する操作が検知された時刻情報に応じたコンテンツを取得する。
【０１６１】
これにより、実施形態にかかる端末プログラムは、例えば、所定の施設で提供されるサービスとして所定のイベントが開催されるスケジュールに応じたコンテンツを利用者に提供することができる。
【０１６２】
また、取得手順は、認証の際に用いられた電子チケットの種別に応じたコンテンツを取得する。
【０１６３】
これにより、実施形態にかかる端末プログラムは、例えば、所定の施設で提供されるサービスとして所定のイベントにおいて、利用者がどのような種別のチケットで参加していたかといった証拠となるコンテンツを利用者に提供することができる。
【０１６４】
取得手順は、コンテンツとして、所定の施設におけるサービスのスポンサーに関連するコンテンツを取得する。
【０１６５】
これにより、実施形態にかかる端末プログラムは、例えば、所定の施設で提供されるサービスとして所定のイベントに協賛するスポンサーの広告を利用者に提供することができるため、広告効果を高めることができる。
【０１６６】
また、取得手順は、コンテンツとして、所定の施設におけるサービスに関連する人物、または、キャラクターを含むコンテンツを取得する。
【０１６７】
これにより、実施形態にかかる端末プログラムは、例えば、所定の施設で提供されるサービスとして所定のイベントの出演者を含む写真撮影を行わせることができるため、例えば、キャラクターとの写真撮影のための待ち時間を削減することができる。
【０１６８】
また、取得手順は、コンテンツとして、利用者の属性情報に応じたコンテンツを取得する。
【０１６９】
これにより、実施形態にかかる端末プログラムは、利用者が好みそうなコンテンツを優先的に提供することができる。
【０１７０】
また、表示制御手順は、取得手順により取得されたコンテンツを利用者の操作に応じて制御可能な状態で、端末装置の表示画面に表示される映像に重ねて表示させる。
【０１７１】
これにより、実施形態にかかる端末プログラムは、例えば、利用者の好む態様のコンテンツを写真の中に収めることができる。
【０１７２】
また、表示制御手順は、取得手順により取得されたコンテンツのうち、利用者によって指定されたコンテンツを端末装置の表示画面に表示される映像に重ねて表示させる。
【０１７３】
これにより、実施形態にかかる端末プログラムは、コンテンツが複数存在する場合に、利用者の望むコンテンツを写真の中に収めることができる。
【０１７４】
また、取得手順は、所定の施設として、所定のイベントが行われるイベント会場におけるサービスを利用者に提供するための認証が得られた場合に、当該所定のイベントに関連するコンテンツを取得する。
【０１７５】
これにより、実施形態にかかる端末プログラムは、イベントが行われるイベント会場において写真撮影する場合に、そのイベントに関連するコンテンツも写真の中に収められるようにすることができる。
【０１７６】
実施形態にかかる端末プログラムは、端末装置に対して、カメラ機能によって撮影された撮像情報であって表示制御手順によって前記コンテンツが重ねられた撮像情報をソーシャルネットワーキングサービスを提供するサーバ装置に送信する送信手順をさらに実行させる。
【０１７７】
これにより、実施形態にかかる端末プログラムは、コンテンツを効果的に拡散させることができる。
【０１７８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７９】
また、上述してきた「部（section、module、unit）」は、「手段」や「回路」などに読み替えることができる。例えば、認証部は、認証手段や認証回路に読み替えることができる。
【符号の説明】
【０１８０】
１      表示制御システム
１０      端末装置
１２      表示部
１３      カメラ部
１４      アプリ制御部
１４ａ    検知部
１４ｂ    位置情報取得部
１４ｃ    コンテンツ取得部
１４ｄ    表示制御部
１４ｅ    送信部
１００    配信装置
１２１    通常コンテンツ記憶部
１２２    位置対応コンテンツ記憶部
１２３    時間対応コンテンツ記憶部
１２４    スポンサーコンテンツ記憶部
１２５    出演者コンテンツ記憶部
【図１】
2018156682.tif 000003
【図２】
2018156682.tif 000004
【図３】
2018156682.tif 000005
【図４】
2018156682.tif 000006
【図５】
2018156682.tif 000007
【図６】
2018156682.tif 000008
【図７】
2018156682.tif 000009
【図８】
2018156682.tif 000010
【図９】
2018156682.tif 000011
【図１０】
2018156682.tif 000012
【図１１】
2018156682.tif 000013